(57)【特許請求の範囲】
【請求項１】
正面板、左右の側面板、背面板、下面板および上面板を備えた包装容器において、上面板の先端縁に差込片を有する接続板が折り目を介して連設される一方、正面板に差込片を差し込み可能な封緘用切れ目が形成され、前記差込片は、正面板の幅より短小な幅に形成されるとともに、左右非対称な一端部および他端部を有する略弓形状、三角形状、または、錨形状に形成され、中間部が接続板に連設部を介して連設され、また、封緘用切れ目は、差込片の幅よりも短く、接続板と差込片との連設部の幅よりも長い幅の水平部と、水平部の左右各端縁に連続する垂直部および傾斜部とからなり、上面板を上端開口に対して捩じり変形させて差込片の一端部を封緘用切れ目の水平部に差し込み、差込片の、接続板との連設部の一端縁またはその近傍を封緘用切れ目の水平部と垂直部との隅角部に係合可能に形成することを特徴とする包装容器。
【請求項２】
請求項１に記載の包装容器において、前記上面板に接続板との折り目近傍に位置して設定長さの切れ目が形成されるとともに、接続板に切れ目の左右各端縁を始点としてそれぞれ左右各側端縁にかけて一対の切裂用ミシン目が形成されることを特徴とする包装容器。
【請求項３】
請求項１に記載の包装容器において、前記正面板に、封緘用切れ目の水平部に連続する略方形の開口がその上方に形成されることを特徴とする包装容器。
【発明の詳細な説明】
【技術分野】
【０００１】
本発明は、包装容器に関するものである。
【背景技術】
【０００２】
一般に、薬品の包装容器は、正面板、左右の側面板、背面板、上面板、下面板からなり、包装容器を組み立てた後、包装容器内に薬品が添付文書とともに収容され、薬局などに出荷される。
【０００３】
薬局などに出荷された薬品は、店内に保管され、通常、購入者が薬品名を指定することによって対応する薬品を取り出し、販売するようにしている。また、薬品によっては、ケースやトレーなどに展示され、必要とする購入者がトレーやケースなどから薬品を取り出して清算する方式も採用されている。
【０００４】
ところで、購入者が直接接触できないように保管された薬品については、薬品の包装容器が不正に開封される事態は想定できないが、ケースなどに展示されて、多数の消費者が接触する機会のある薬品の場合には、包装容器が不正に開封される可能性がある。このため、上面板と正面板および下面板と正面板にかけてそれぞれ封緘紙を貼付し、封緘紙を破らない限り薬品を取り出せないようにし、封緘紙が破れている場合には、包装容器が不正に開封されたと判断し、不正に開封された包装容器を誤って販売しないようにしている（例えば、特許文献１参照）。
【先行技術文献】
【特許文献】
【０００５】
【特許文献１】実公昭５７−３９３１０号公報
【発明の概要】
【発明が解決しようとする課題】
【０００６】
ところで、前述したように、封緘紙を包装容器に貼付し、容器が不正に開封されたか否かを把握する方式では、封緘紙を剥離した後、再び封緘紙を貼付した場合、開封の痕跡がはっきりと残らないことがあり、包装容器が不正に開封されたにも関わらず、未開封の商品として誤って販売されるおそれがある。
【０００７】
本発明は、このような問題点に鑑みてなされたもので、不正に開封された場合に開封の痕跡を確実に残すことのできる包装容器を提供するものである。
【課題を解決するための手段】
【０００８】
本発明は、正面板、左右の側面板、背面板、下面板および上面板を備えた包装容器において、上面板の先端縁に差込片を有する接続板が折り目を介して連設される一方、正面板に差込片を差し込み可能な封緘用切れ目が形成され、前記差込片は、正面板の幅より短小な幅に形成されるとともに、左右非対称な一端部および他端部を有する略弓形状、三角形状、または、錨形状に形成され、中間部が接続板に連設部を介して連設され、また、封緘用切れ目は、差込片の幅よりも短く、接続板と差込片との連設部の幅よりも長い幅の水平部と、水平部の左右各端縁に連続する垂直部および傾斜部とからなり、上面板を上端開口に対して捩じり変形させて差込片の一端部を封緘用切れ目の水平部に差し込み、差込片の、接続板との連設部の一端縁またはその近傍を封緘用切れ目の水平部と垂直部との隅角部に係合可能に形成することを特徴とするものである。
【０００９】
本発明によれば、包装容器を組み立てて商品を収容した後、上面板を上端開口に対して捩じり変形させ、左右非対称な差込片の一端部を他端部よりも下方に配置して正面板の表面に沿わせながら封緘用切れ目の水平部に差し込む。この際、上面板の捩じり変形を解消させることに伴って、封緘用切れ目に差し込まれた差込片の一端部は、正面板の背面側において、垂直部を超えて移動する一方、差込片の他端部が傾斜部に沿って回動しながら差し込まれて正面板の背面側に配置される。これにより、接続板と差込片との連設部の一端縁あるいはその近傍の差込片が封緘用切れ目の水平部と垂直部との隅角部に対向する。
【００１０】
したがって、差込片を抜き出そうとして接続板を上方に引き上げると、接続板と差込片との連設部の一端縁あるいはその近傍の差込片が封緘用切れ目の水平部と垂直部との隅角部に係合し、接続板と差込片との連設部の一端縁に応力が集中し、接続板と差込片との連設部の一端縁を破断させ、あるいは、損傷させる。
【００１１】
この結果、痕跡を残すことなく差込片を封緘用切れ目から抜き出すことは困難となり、包装容器が不正に開封されたことを接続板と差込片との連設部の一端縁の破断や損傷によって把握することができ、不正に開封された包装容器を誤って販売するのを確実に防止することができる。
【００１２】
本発明において、前記上面板に接続板との折り目近傍に位置して設定長さの切れ目が形成されるとともに、接続板に切れ目の左右各端縁を始点としてそれぞれ左右各側端縁にかけて一対の切裂用ミシン目が形成されることが好ましい。これにより、包装容器を組み立てて商品を収容した後、上面板を折り込んで上端開口を閉鎖するとともに、差込片を正面板の封緘用切れ目に差し込んで包装容器を形成すると、切れ目による端縁が上面板より上方にわずかに突出することから、突出した端縁に指先の腹を当てて引き出すことができ、その引き出しに伴って切裂用ミシン目に沿って接続板が切り裂かれて上面板との連設を解除して包装容器を開封することができる。
【００１３】
本発明において、前記正面板に、封緘用切れ目の水平部に連続する略方形の開口がその上方に形成されることが好ましい。これにより、差込片の一端部を封緘用切れ目の水平部に差し込む際、開口が差込片の一端部を正面板の背面側に導くためのガイドとなることから、容易に差し込むことができる。
【発明の効果】
【００１４】
本発明によれば、不正に開封された場合に開封の痕跡を確実に残すことができ、不正に開封された包装容器の販売を確実に防止することができる。
【図面の簡単な説明】
【００１５】
【図１】本発明の包装容器の一実施形態を一部省略して示す斜視図である。
【図２】図１の包装容器の展開図である。
【図３】図１の包装容器の組立要領を説明する工程図である。
【図４】図１の包装容器の組立要領を説明する工程図である。
【図５】図１の包装容器の組立要領を説明する工程図である。
【図６】図１の包装容器の組立工程において、差込片による封緘要領およびその開封状態を一部省略して示す説明図である。
【図７】図１の包装容器の上面フラップを係止した状態を一部省略して示す斜視図である。
【発明を実施するための形態】
【００１６】
以下、本発明の実施の形態を図面を参照して説明する。
【００１７】
図１には、本発明の包装容器１の一実施形態が示されている。
【００１８】
この実施形態の包装容器１は、コートボールを図２に示す展開図にしたがって打ち抜いた後、折り目に沿って折り込むこととともに、所定部分を貼着して組み立てられる。
【００１９】
この包装容器１は、図２の展開図において、正面板２の右端縁に右側面板３、背面板４および左側面板５が折り目ａ，ｂ，ｃを介して順に連設されるとともに、正面板２の左端縁に糊代６が折り目ｄを介して連設される一方、背面板４の上端縁に上面板７および差込片９を連設した接続板８が折り目ｅ，ｆを介して順に連設され、また、右側面板３および左側面板５の各上端縁にそれぞれ折り目ｇを介して上面フラップ１０が連設され、さらに、正面板２の下端縁および背面板４の下端縁にそれぞれ底面板１１が折り目ｈを介して連設され、右側面板３および左側面板５の各下端縁にそれぞれ折り目ｉを介して底面フラップ１２が連設され、さらにまた、各底面板１１に糊代１３がそれぞれ折り目ｊを介して連設されて構成されている。
【００２０】
そして、上面板７には、中間部に接続板８との折り目ｆの近傍に位置して設定長さの切れ目ｋが形成される一方、接続板８には、前述した上面板７の切れ目ｋの左右各端縁を始点として略ハ字状の切裂用ミシン目ｍが形成されている。この場合、上面板７と接続板８との折り目ｆは、左右各側端縁から切裂用ミシン目ｍに達するまで形成され、左右の切裂用ミシン目ｍ間には形成されていない。
【００２１】
また、差込片９は、正面板２の幅よりも短い幅に形成されるとともに、左右非対称な左端部および右端部を有する略弓形状に形成され、その中間部が連設部として接続板８に連設されている。この場合、接続板８は、後述する封緘用切れ目ｎに差込片９を差し込む際の余裕を確保するため、差込片９との連設部を除く差込片９との間が切欠部８ａによって切除されている。
【００２２】
一方、正面板２には、差込片９を差込可能な封緘用切れ目ｎが形成されている。この封緘用切れ目ｎは、正面板２の幅方向中間部に延びる設定長さの水平部ｎ１、水平部ｎ１の左端縁から鉛直下方向に延びる垂直部ｎ２および水平部ｎ１の右端縁から斜め下外方に円弧状に延びる傾斜部ｎ３からなり、上面板７が正面板２、右側面板３、背面板４および左側面板５によって形成される上端開口を閉鎖するとき、接続板８および差込片９の連設部が水平部ｎ１の下方に配置されるとともに、接続板８と差込片９との連設部の左端縁が垂直部ｎ２の下端縁下方に配置されるようにそれぞれ設定されている。すなわち、封緘用切れ目ｎは、包装容器１を形成するコートボールなどの材料板材の剛性を考慮して、差込片９を封緘用切れ目ｎに差し込むために、上面板７を上端開口に対して設定角度傾斜するように捩じり変形させ、差込片９を正面板２に沿わせながら下方に向けて押し下げた際に、差込片９の左端部がその水平部ｎ１に差し込まれる。その後、捩じり変形させた上面板７を、正面板２、右側面板３、背面板４および左側面板５によって形成される上端開口を閉鎖する水平状態となるように、回動しつつ押し下げた際に、垂直部ｎ２と接続板８の切欠部８ａとによって下方への押し下げストロークを確保するとともに、差込片９の左端部が垂直部ｎ２を超えて外方側背面に回動し、同時に、差込片９の右端部が傾斜部ｎ３に回動しつつ差し込まれる。この際、接続板８と差込片９との連設部の左端縁が垂直部ｎ２の下
端縁近傍の下方に配置される。
【００２３】
なお、正面板２には、差込片９の左端部を封緘用切れ目ｎの水平部ｎ１に容易に差し込むことができるように、水平部ｎ１に連続する略方形の開口ｎ４がその上方に形成されている。
【００２４】
さらに、一対の上面フラップ１０のうち、一方の上面フラップ１０の上端縁中央部には、先端が三角状に突出する係止片１０１が連設部を介して連設され、他方の上面フラップ１０には、一方の上面フラップ１０に連設された係止片１０１に対応してＣ字状の係止用切れ目ｐが形成されている。この場合、係止用切れ目ｐに係止片１０１を容易に差し込むことができるように、Ｃ字状の係止用切れ目ｐによって区画された部分を左右に分割する縦切れ目ｐ１が合わせて形成されている。
【００２５】
次に、このように構成された包装容器１の組立手順について説明する。
【００２６】
まず、図２の展開図にしたがってコートボールを打ち抜くとともに、裏面が上面を向くように反転させた後  正面板２および背面板４に対して底面板１１を折り目ｈに沿ってそれぞれ谷折りするとともに、右側面板３および左側面板５に対して底面フラップ１２を折り目ｉに沿ってそれぞれ谷折りし、さらに、各底面板１１に対して糊代１３を折り目ｊに沿ってそれぞれ谷折りする（図３参照）。次いで、正面板２に折り返された底面板１１の糊代１３の裏面に接着剤を塗布し、右側面板３に対して正面板２を折り目ａに沿って谷折りし、右側面板３に折り返された底面フラップ１２に糊代１３を貼着する（図４参照）。次いで、糊代６の表面に接着剤を塗布するとともに、背面板４に折り返された底面板１１の糊代１３の裏面に接着剤を塗布した後、背面板４に対して左側面板５を折り目ｃに沿って谷折りし、左側面板５の裏面側側端縁部を糊代６に貼着するとともに、左側面板５に折り返された底面フラップ１２を糊代１３に貼着し、偏平な包装容器１を組み立てる（図５参照）。
【００２７】
このようにして、偏平に組み立てられた包装容器１は、商品の収納工程に供給され、箱状に組み立てられた後、商品が収容され、封緘される。
【００２８】
具体的には、図５において、背面板４に対して右側面板３を折り目ｂに沿って立ち上げる。これにより、右側面板３に折り目ａを介して連設された正面板２が右側面板３とのなす角度を徐々に大きくするように回動するとともに、糊代６を介して左側面板５を外方に押し出し、左側面板５を折り目ｃに沿って背面板４に対して立ち上げ、正面板２、左右の側面板３，５および背面板４によって箱状の包装容器１を形成する。
【００２９】
この際、糊代１３を介して一体に貼着された一対の底面板１１および底面フラップ１２は、互いに底面板１１が相手側の底面フラップ１２の上に重なって卍状に組み合わされて係合する。このため、一体に貼着された一対の底面板１１および底面フラップ１２は、互いに係合することによって離脱が防止され、包装容器１の底面を形成するとともに、その状態を保持するものである。
【００３０】
次いで、包装容器１の内部に商品を収容した後、上面フラップ１０をそれぞれ折り目ｇに沿って谷折りし、正面板２、右側面板３、背面板４および左側面板５によって形成される上端開口を折り重ねた左右一対の上面フラップ１０，１０によって閉鎖する。
【００３１】
その後、上面板７に対して接続板８を折り目ｆに沿って谷折りするとともに、背面板４に対して上面板７を折り目ｅに沿って谷折りし、接続板８を正面板２側に配置する。そして、差込片９の左端部側が右端部側よりも下方に位置するように、上面板７を捩じり変形
させ、差込片９の左端部を封緘用切れ目ｎの水平部ｎ１を通して正面板２の背面側に差し込む。この際、開口ｎ４が差込片９の左端部を正面板２の背面側に導くためのガイドとなる（図６（ａ）参照）。
【００３２】
封緘用切れ目ｎの水平部ｎ１への差込片９の左端部の差し込みを継続するように、上面板７の捩じり変形を徐々に解消しつつ押し下げると、差込片９が下方に押し込まれるとともに、時計回り方向に回動しながら左側面板５に接近するように移動する。すなわち、正面板２の背面側において、差込片９の左端部が垂直部ｎ２を超えて移動し、接続板８と差込片９との連設部の左端縁が垂直部ｎ２の下端縁に係合するまで移動する。合わせて、差込片９の右端部が時計回り方向に回動しながら傾斜部ｎ３に沿って正面板２の背面側に入り込む。差込片９が封緘用切れ目ｎに差し込まれるにしたがって、上面板７の捩じり変形が徐々に水平状態へと回復し、包装容器１の上端開口を閉鎖する（図６（ｂ）参照）。この後、包装容器１は、消費地に出荷される。
【００３３】
このような包装容器１に収容された商品を使用するときには、上面板７に形成された切れ目ｋによる端縁が上面板７に対して接続板８を正面板２側に折り込むことによって上面板７から上方にわずかに突出していることから、この切れ目ｋによる端縁に指の腹を当てて外方に引き出せば、接続板８は、左右の切裂用ミシン目ｍに沿って切り裂かれ、接続板８は、上面板７と折り目ｆを介して連設された一部を残して上面板７から切り離される。この際、残りの接続板８は、封緘用切れ目ｎに差し込まれた差込片９と連設されて保持される。これにより、上面板７を背面板４に対して跳ね上げることができ、一対の上面フラップ１０を上方に順に回動させれば、包装容器１の上端開口を開放して、商品を引き出すことができる。
【００３４】
なお、商品を包装容器１に戻した際は、一方の上面フラップ１０に連設された係止片１０１を他方の上面フラップ１０に形成された係止用切れ目ｐに差し込むことにより、正面板２、右側面板３、背面板４および左側面板５によって形成される上端開口を閉鎖することができる。
【００３５】
一方、商品を使い切って包装容器１を廃棄するときには、底面板１１を上方に向けて押し込み、それぞれ下面フラップ１２との互いの係合状態を解除して正面板２および背面板４に接するように折り込めば、正面板２、左右の側面板３，５および背面板４によって形成された箱体の背面板２および正面板４がそれぞれ左右の側面板３，５に接するように押し潰されて、先に図５に示したように、偏平状に折り畳むことができる。
【００３６】
ところで、店頭に展示されている包装容器１を不正に開封しようとした場合を想定すると、差込片９を引き出すためには、前述した差込片９の差し込みと逆の動作が必要になる。一方、このような差込片９による封緘用切れ目ｎに対する差し込みを認識していない場合において、接続板８を上方に引き上げて封緘用切れ目ｎから差込片９を抜き出そうとすると、封緘用切れ目ｎの垂直部ｎ２の長さと接続板８の切欠部８ａの高さの和に相当する長さだけ上方に移動するが、その時点で接続板８と差込片９との連設部の左端縁あるいはその近傍の差込片９が水平部ｎ１と垂直部ｎ２との隅角部に係合し、それ以上の上方移動が規制される（図６（ｃ）参照）。このとき、接続板８と差込片９との連設部の左端縁ｘに応力が集中し、その連設部の左端縁ｘに破断や損傷が発生することになる。
【００３７】
この結果、痕跡を残すことなく差込片９を封緘用切れ目ｎから抜き出すことは困難となり、包装容器１が不正に開封されたことを接続板８と差込片９との連設部の端縁ｘの破断や損傷によって把握することができ、不正に開封された商品を誤って販売するのを確実に防止することができる。
【００３８】
なお、本発明の実施形態において包装容器に収容する商品としては、例えば、薬品や化粧品、食品、あるいは、たばこなどの各種商品を挙げることができる。
【００３９】
また、前述した実施形態においては、差込片９の左端部から封緘用切れ目ｎに差し込む場合を例示したが、右端部から封緘用切れ目に差し込むこともできる。この場合は、封緘用切れ目は、実施形態とは左右逆に形成すればよい。
【００４０】
さらに、前述した実施形態においては、差込片を左右非対称な一端部および他端部を有する略弓形状に形成した場合を例示したが、弓形状に限定するものではなく、上面板を捩じり変形させることによって封緘用切れ目に差込可能な左右非対称な一端部および他端部を有し、上方に引き上げた際に封緘用切れ目に係合するような形状であればどのような形状であっても構わない。例えば、詳細には図示しないが、左右非対称な一端部および他端部を有する三角形状や錨形状などであっても構わない。
【符号の説明】
【００４１】
１  包装容器
２  正面板
３  右側面板
４  背面板
５  左側面板
７  上面板
８  接続板
９  差込片
１０  上面フラップ
１０１  係止片
１１  下面板
１２  下面フラップ
ａ，ｂ，ｃ，ｄ，ｅ，ｆ，ｇ，ｈ，ｉ，ｊ  折り目
ｋ  切れ目
ｍ  切裂用ミシン目
ｎ  封緘用切れ目
ｎ１  水平部
ｎ２  垂直部
ｎ３  傾斜部
ｎ４  開口
ｐ  係止用切れ目
【図１】
0005474575.tif 000002
【図２】
0005474575.tif 000003
【図３】
0005474575.tif 000004
【図４】
0005474575.tif 000005
【図５】
0005474575.tif 000006
【図６】
0005474575.tif 000007
【図７】
0005474575.tif 000008